(57)【要約】【課題】屋根や外壁の外張り断熱構造において、二重通気層を実現するための断熱材を提供する。【解決手段】垂木６間に配置される断熱材１であって、断熱材１は第一の通気層Ａとなる中空部４を有し、かつ垂木６間への配置状態で断熱材１の上側に設けられる平板７との間に第二の通気層Ｂを形成する凹部５を有する断熱材１。断熱材１は、第一部材２と第二部材３とからなり、第一部材２は、第二部材３とともに第一の通気層Ａとなる中空部４を形成する凹部５を有し、第二部材３は、第一部材２とともに第一の通気層Ａとなる中空部を形成し、かつ平板と第二の通気層Ｂを形成するとよい。【選択図】    図１
2011122360.tif 000002
【特許請求の範囲】
【請求項１】
桟木間に配置される断熱材であって、
該断熱材は第一の通気層となる中空部を有し、
かつ、桟木間への配置状態で該断熱材の上側に設けられる平板との間に第二の通気層を形成する凹部を有することを特徴とする断熱材。
【請求項２】
第一部材と第二部材とからなり、
第一部材は、第二部材とともに第一の通気層となる中空部を形成する凹部を有し、
第二部材は、第一部材とともに第一の通気層となる中空部を形成し、かつ前記平板と第二の通気層を形成する請求項１に記載の断熱材。
【発明の詳細な説明】
【技術分野】
【０００１】
本発明は、二重通気のための断熱材に関する。詳しくは、屋根や外壁などの外張り断熱工法で二重通気を実現するための断熱材に関する。
【背景技術】
【０００２】
屋根などの外張り断熱工法では断熱材の外側に、遮熱や湿気の排出を目的として通気層が設けられている。
【先行技術文献】
【特許文献】
【０００３】
【特許文献１】特開２００７−１３２０２５号公報
【発明の概要】
【発明が解決しようとする課題】
【０００４】
しかし、通気層内の空気が高温になると十分な遮熱効果が得られないといった問題があった。
【０００５】
そこで、更に一層の通気層を設け、二重通気層とすることで遮熱効果を高める提案がなされているが、二重通気層を設けるために、断熱材やスペーサーなど余分に部材が必要となり、さらに、施工も複雑になり手間がかかるといった問題があった。
【０００６】
本発明は、以上のような問題点に鑑み、屋根や外壁の外張り断熱構造において、二重通気層を実現するための断熱材を提供することを課題とする。
【課題を解決するための手段】
【０００７】
上記の課題は、桟木間に配置される断熱材であって、該断熱材は第一の通気層となる中空部を有し、かつ、桟木間への配置状態で該断熱材の上側に設けられる平板との間に第二の通気層を形成する凹部を有することを特徴とする断熱材により解決される。
【０００８】
この断熱材は、断熱材自体に第一の通気層となる中空部と、桟木間への配置状態で断熱材に接して設けられる平板との間に第二の通気層と形成する凹部を有しているので、屋根や外壁の下地となる垂木や柱などの桟木間へこの断熱材を取り付けたあと、野地板や外壁面材などの平板を取り付けるだけで、二重の通気層を有する外張り断熱構造とすることができる。
【０００９】
特に、この断熱材を使用することで、外張り断熱構造での２重通気層を、断熱材とスペーサーとの組み合わせによらず実現できるので、少ない部品点数で、しかも、施工容易に実現することができる。
【００１０】
さらに、この断熱材が、第一部材と第二部材とからなり、第一部材は、第二部材とともに第一の通気層となる中空部を形成する凹部を有し、第二部材は、第一部材とともに第一の通気層となる中空部を形成し、かつ前記平板と第二の通気層を形成するとよい。
【００１１】
この断熱材の第一の通気層となる中空部を第一部材と第二部材により形成するため、一つの部材で中空部を実現する場合と異なり、部材自体に中空部が必要でないため、部材の製造工程において、中空部を設けるための押し出し成型やくりぬき作業が必要でなく、部材の製造の自由度を高めることができる。特に、断熱材の素材として発泡ポリスチレン等の製造工程に発泡工程を含む材料を利用するときに、より効率的に本断熱材を製造することができる。また、第一部材、第二部材それぞれ分割することで、運搬や施工時に中空部に荷重がかかることによって断熱材が破損するおそれもない。
【発明の効果】
【００１２】
本発明は以上のとおりであるから、本断熱材を利用することにより、部品点数が少なく施工容易に、屋根や外壁の外張り断熱工法において、二重通気層を実現することができる。
【図面の簡単な説明】
【００１３】
【図１】本発明の実施形態の断熱材を示す図であって、図（イ）は断面正面図、図（ロ）は断面側面図、図(ハ)は、分解断面正面図である。
【図２】断熱材を屋根に用いた場合を示す図であって、図（イ）は断面正面図、図（ロ）は分解断面正面図、図（ハ）は、断熱材が用いられる建物全体の斜視図である。
【図３】断熱材を外壁に用いた場合を示す断面正面図である。
【図４】図（イ）乃至（ハ）は、本発明の他の実施形態を示す断面正面図である。
【発明を実施するための形態】
【００１４】
次に、本発明の実施形態を図面に基づいて説明する。
【００１５】
図１に示す本発明の実施形態である屋根の外張り断熱工法で二重通気を実現するための断熱材１において、２は第一部材、３は第二部材である。
【００１６】
第一部材２は、ベース部２ａと、ベース部２ａの左右両側に、対の立ち上がり部２ｂ，２ｂが設けられ、各立ち上がり部２ｂ，２ｂの上端部に外方に張り出す水平な対の水平部２ｃ，２ｃが設けられており、ベース部２ａと対の立ち上がり部２ｂ，２ｂにより凹部２ｄが形成されている。一方、第二部材３は、ベース部３ａとベース部２ａの左右両側に、対の立ち上がり部３ｂ，３ｂが設けられており、ベース部３ａと対の立ち上がり部３ｂ，３ｂにより凹部３ｄが形成されている。
【００１７】
第一部材２と第二部材３は、それぞれ凹部２ｄ，３ｄ同士を向かい合わせにして嵌め合わすことで、第一の通気層となる断熱材１の中空部４を形成する。また、第一部材２の凹部２ｄの深さより、第二部材３の厚みが小さいため、第１部材２に第二部材３を嵌め込んだ状態で、断熱材１の上に設けられる野地板とともに第二の通気層を形成する、断熱材１の凹部５が形成される。なお、第２部材３の幅寸法を、第一部材２の凹部の２ｄの幅寸法と等しくしておくことで、第一部材２と第二部材３との一体化を締結具や接着剤などを使うことなく実現することができる。
【００１８】
断熱材１の屋根への取り付けは、図２に示すように、垂木６，６上に第一部材２の水平部２ｃ，２ｃを載せて垂木６，６間に取り付けていく。その上から平板としての野地板７を載せ、断熱材１とともにビス８，８で垂木７，７に固定する。なお、９は断熱材下地合板、１０は下地桟、１１は内装材である。
【００１９】
断熱材１を垂木６，６間に取り付けることで、断熱材１の中空部４による第一の通気層Ａと、断熱材１の凹部５と野地板７により形成される第二の通気層Ｂを有する外張り断熱構造が、部品点数が少なく、施工容易実現することができる。なお、第一部材２と第２部材３との一体化は、垂木への取り付け前に行ってもよいし、垂木に第一部材２を取り付けた後で、第二部材と一体化してもよい。
【００２０】
図３は本発明を外壁における外張り断熱構造に適用した場合について示したものである。１５は柱、１６は平板としての外壁面材、１７は外壁面材１６，１６間に充填されるシーリング材、１８は内装材である。外壁における外張り断熱構造においても、本断熱材１を使用することで、部品点数すくなく、施工容易に、外張り断熱構造において、二重通気層を実現することができる。
【００２１】
図４は、本発明の他の実施形態を示すものであって、図（イ）は、一部品からなる断熱材である。この断熱材を一体成型してもよいし、２部品若しくは３部品以上を結合して一体化してもよい。
【００２２】
図（ロ）は、断熱材が第一部材２２と第二部材２３とからなり、第一部材２２の凹部２２ｄの左右両端部には、立ち上がり部２２ｂ，２２ｂ側にそってそれぞれ支持部２２ｅ，２２ｅが設けられ、水平な板状の第二部材２３を支持するようになされている。
【００２３】
図（ハ）は、第一部材３２と第二部材３３を一体化させるために、突起部３３ｆ，３３ｆと突起部が嵌め込まれる孔部３２ｇ，３２ｇが設けられている。  
【００２４】
以上に、本発明の実施形態を示したが、本発明はこれに限られるものではなく、発明思想を逸脱しない範囲で各種の変更が可能である。例えば、上記の実施形態では、断熱材として発泡ポリスチレンを使用した場合について示したが、断熱材の素材はこれに限定されることはなく、断熱性能を有し、本発明の形態を実現できるものであれば特に限定はない。
【符号の説明】
【００２５】
１・・・断熱材
２・・・第一部材
３・・・第二部材
４・・・中空部
５・・・凹部
６・・・垂木（桟木）
７・・・野地板(平板)
１５・・・柱（桟木）
１６・・・外壁面材(平板)
Ａ・・・第一の通気層
Ｂ・・・第二の通気層
【図１】
2011122360.tif 000003
【図２】
2011122360.tif 000004
【図３】
2011122360.tif 000005
【図４】
2011122360.tif 000006